【手続補正書】
【提出日】平成28年4月1日(2016.4.1)
【手続補正１】
【補正対象書類名】明細書
【補正対象項目名】０１７３
【補正方法】変更
【補正の内容】
【０１７３】
【表９】
2015517874.tif 000001
本発明の実施態様の一部を以下の項目［１］−［４０］に記載する。
[１]
吸収性物品であって、
少なくとも１００マイクロメートルの平均気泡サイズを有するポリマー発泡体と、前記ポリマー発泡体内に分散された超吸収性ポリマーの不連続断片と、を含む第１の吸収性層と、
前記第１の吸収性層と流体連通する少なくとも２０ｇ／ｇの平均吸収能力を有する第２の吸収性層と、を備える、吸収性複合材料を含む、吸収性物品。
[２]
前記物品が、使い捨ておむつ、婦人衛生物品、又は成人用失禁物品である、項目１に記載の吸収性物品。
[３]
前記発泡体の前記平均気泡サイズが、５００マイクロメートル以下である、項目１又は２に記載の吸収性物品。
[４]
前記ポリマー発泡体が、ポリマーの連続相を含む、項目１〜３のいずれか一項に記載の吸収性物品。
[５]
超吸収性微粒子の前記不連続断片が、前記ポリマーの連続相内に均質に分散されている、項目１〜４のいずれか一項に記載の吸収性物品。
[６]
ポリマーの前記連続相が、親水性ポリマーを含む、項目１〜５のいずれか一項に記載の吸収性物品。
[７]
前記不連続断片が、粒子、繊維、又はそれらの組み合わせを含む、項目１〜６のいずれか一項に記載の吸収性物品。
[８]
前記ポリマー発泡体が、少なくとも５、６、７、８、９、又は１０重量％の超吸収性ポリマーを含む、項目１〜７のいずれか一項に記載の吸収性物品。
[９]
前記第１の吸収性層が流体輸送層であり、前記第２の吸収性層が、前記第１の吸収性層より高い吸収能力を有する、項目１〜８のいずれか一項に記載の吸収性物品。
[１０]
前記第２の吸収性層が、繊維層、発泡体層、又はそれらの組み合わせから選択される、項目１〜９のいずれか一項に記載の吸収性物品。
[１１]
前記繊維層が、セルロース繊維を含む、項目１０に記載の吸収性物品。
[１２]
前記第２の吸収性層が、前記第１の吸収性層より高濃度の超吸収性ポリマーを含む、項目９〜１１のいずれか一項に記載の吸収性物品。
[１３]
前記物品が、前記第１の吸収性層と第２の吸収性層との間に組織層を更に備える、項目１〜１２のいずれか一項に記載の吸収性物品。
[１４]
前記複合材料が、少なくとも１０ｇ／ｇの吸収能力を有する、項目１〜１３のいずれか一項に記載の吸収性物品。
[１５]
前記複合材料が、少なくとも１ｇ／ｃｃの吸収能力を有する、項目１〜１４のいずれか一項に記載の吸収性物品。
[１６]
前記複合材料が、１５、又は１０、又は５秒以下の裏抜けを有する、項目１〜１５のいずれか一項に記載の吸収性物品。
[１７]
前記複合材料が、１又は０．５グラム以下の再湿潤を有する、項目１〜１６のいずれか一項に記載の吸収性物品。
[１８]
前記ポリマー発泡体が、５０％で７５Ｎ未満の押込み力たわみ（indentation force deflection）を有する、項目１〜１７のいずれか一項に記載の吸収性物品。
[１９]
前記ポリマー発泡体が、５０％のたわみに関して、２５％未満の一定たわみ圧縮永久歪み（constant deflection compression set）を有する、項目１〜１８のいずれか一項に記載の吸収性物品。
[２０]
ポリマー発泡体が、ポリウレタンポリマーを含む、項目１〜１９のいずれか一項に記載の吸収性物品。
[２１]
前記ポリウレタン発泡体が、少なくとも１つの芳香族ポリイソシアネートに由来する、項目２０に記載の吸収性物品。
[２２]
前記ポリウレタン発泡体が、ウレタン連結を欠く少なくとも１つのポリマーポリイソシアネートに由来する、項目２０又は２１に記載の吸収性物品。
[２３]
前記ポリマーポリイソシアネートが、ポリイソシアネートの総量の少なくとも７５重量％の量で存在する、項目２２に記載の吸収性物品。
[２４]
前記ポリウレタン発泡体が、少なくとも１０重量％のポリエチレンオキシド単位を含む、項目２０〜２３のいずれか一項に記載の吸収性物品。
[２５]
前記ポリウレタンが、３５００Ｄａ以下の分子量（Ｍｗ）を有する少なくとも１つのポリエーテルポリオールに由来する、項目２０〜２４のいずれか一項に記載の吸収性物品。
[２６]
前記超吸収性ポリマーが、架橋されたポリアクリル酸を含む、項目１〜２５のいずれか一項に記載の吸収性物品。
[２７]
前記ポリウレタン発泡体が、エチレンオキシド単位を有するシリコーン界面活性剤に由来する、項目２０〜２６のいずれか一項に記載の吸収性物品。
[２８]
前記ポリウレタン発泡体が、アミン又はイミン錯化剤を含まない、項目２０〜２７に記載の吸収性物品。
[２９]
少なくとも１００マイクロメートルの平均気泡サイズを有するポリウレタン発泡体であって、前記ポリウレタン発泡体が、ポリエチレンオキシド単位を有する少なくとも１つのポリオールとウレタン連結を欠く少なくとも１つのポリマーポリイソシアネートとの反応生成物を含み、前記発泡体が、少なくとも５重量％の超吸収性ポリマーの不連続断片を含む、ポリウレタン発泡体。
[３０]
前記ポリウレタン発泡体が、項目３〜８及び１８〜２８のいずれか一項又はそれらの組み合わせの前記発泡体基準を更に特徴とする、項目２９に記載のポリウレタン発泡体。
[３１]
前記ポリウレタン発泡体が、少なくとも１０ｇ／ｇの吸収能力を有する、項目２９又は３０に記載のポリウレタン発泡体。
[３２]
前記ポリウレタン発泡体が、少なくとも１ｇ／ｃｃの吸収能力を有する、項目２９〜３１のいずれか一項に記載のポリウレタン発泡体。
[３３]
前記ポリウレタン発泡体が、５秒以下の裏抜けを有する、項目２９〜３２のいずれか一項に記載のポリウレタン発泡体。
[３４]
前記ポリウレタン発泡体吸収体が、７、６、又は５グラム以下の再湿潤を有する、項目２９〜３３のいずれか一項に記載のポリウレタン発泡体。
[３５]
項目２９〜３４のいずれか一項に記載のポリウレタン発泡体と、第２の吸収性層と、を備える、吸収性複合材料。
[３６]
前記第２の吸収性層と流体連通する流体不透過性バックシートを更に備える、項目３５に記載の吸収性複合材料。
[３７]
項目３５又は３６に記載のポリウレタン発泡体と、前記第１の吸収性層と流体連通する流体透過性トップシートと、を備える、吸収性複合材料。
[３８]
吸収性物品であって、
少なくとも１００マイクロメートルの平均気泡サイズを有するポリマー発泡体と、前記ポリマー発泡体内に分散された超吸収性ポリマーの不連続断片と、を含む、第１の吸収性層と、
前記第１の吸収性層と流体連通を有する第２の吸収性層と、を備える吸収性複合材料を含み、使い捨ておむつ、婦人衛生物品、又は成人用失禁物品である、吸収性物品。
[３９]
吸収性物品であって、
流体透過性トップシートと流体不透過性バックシートとの間に配置される吸収性複合材料を含み、前記吸収性複合材料が、
少なくとも１００マイクロメートルの平均気泡サイズを有するポリマー発泡体と、前記ポリマー発泡体内に分散された超吸収性ポリマーの不連続断片と、を含む、第１の吸収性層と、
前記第１の吸収性層と流体連通を有する第２の吸収性層と、を備え、使い捨ておむつ、婦人衛生物品、又は成人用失禁物品である、吸収性物品。
[４０]
前記ポリマー発泡体、第２の吸収性層、又は複合材料が、項目２〜３７のいずれか一項又はそれらの組み合わせにより更に特徴付けされる、項目３８又は３９に記載の吸収性物品。
【手続補正２】
【補正対象書類名】特許請求の範囲
【補正対象項目名】全文
【補正方法】変更
【補正の内容】
【特許請求の範囲】
【請求項１】
吸収性物品であって、
少なくとも１００マイクロメートルの平均気泡サイズを有するポリマー発泡体と、前記ポリマー発泡体内に分散された超吸収性ポリマーの不連続断片と、を含む第１の吸収性層と、
前記第１の吸収性層と流体連通する少なくとも２０ｇ／ｇの平均吸収能力を有する第２の吸収性層と、を備える、吸収性複合材料を含む、吸収性物品。
【請求項２】
前記物品が、使い捨ておむつ、婦人衛生物品、又は成人用失禁物品である、請求項１に記載の吸収性物品。
【請求項３】
前記発泡体の前記平均気泡サイズが、５００マイクロメートル以下である、請求項１又は２に記載の吸収性物品。
【請求項４】
前記ポリマー発泡体が、少なくとも５、６、７、８、９、又は１０重量％の超吸収性ポリマーを含む、請求項１〜３のいずれか一項に記載の吸収性物品。
【請求項５】
前記第１の吸収性層が流体輸送層であり、前記第２の吸収性層が、前記第１の吸収性層より高い吸収能力を有する、請求項１〜４のいずれか一項に記載の吸収性物品。
【請求項６】
前記ポリマー発泡体が、５０％で７５Ｎ未満の押込み力たわみ（indentation force deflection）を有する、請求項１〜５のいずれか一項に記載の吸収性物品。
【請求項７】
前記ポリマー発泡体は、ポリウレタン発泡体であって、アミン又はイミン錯化剤を含まない、請求項1〜６のいずれか一項に記載の吸収性物品。